(57)【要約】      （修正有）【課題】ファックス印刷とメンテナンス用印刷をそれぞれに適した種類の媒体を選択して行うことができる印刷装置を提供する。【解決手段】プリンターは複数の給送トレイを備える。印刷モードがＦＡＸモードであれば（Ｓ１で肯定判定）、ＦＡＸ用トレイ選択処理を行って普通紙と再生紙を対等の優先度で給送トレイを選択する（Ｓ２）。そして、選択した普通紙又は再生紙にＦＡＸ印刷を行う（Ｓ３）。一方、印刷モードがメンテナンスモードであれば（Ｓ４で肯定判定）、メンテナンス用トレイ選択処理を行って、普通紙を選択し、普通紙がない場合は再生紙を選択することで、給送トレイを選択する（Ｓ５）。そして、再生紙に優先してより白い普通紙にチェック用パターンを印刷する（Ｓ６）。【選択図】図１０
2018020575.tif 000002
【特許請求の範囲】
【請求項１】
複数の媒体供給源のうち選択した媒体供給源から給送された媒体に対して印刷を行う印刷装置であって、
前記複数の媒体供給源のうち印刷対象の媒体がセットされている媒体供給源を選択する選択部と、
メンテナンス用印刷を媒体供給源から給送した媒体に行うメンテナンス部と、を備え、
前記メンテナンス部が印刷を行う場合には、前記選択部は、２つの白色度合いが異なる媒体のうち白色度合いが高い媒体がセットされている媒体供給源を選択し、当該媒体がセットされていない場合は前記２つの白色度合いが異なる媒体のうち白色度合いが低い媒体がセットされている媒体供給源を選択し、前記２つの白色度合いが異なる媒体がいずれもセットされていない場合、所定処理を行うことを特徴とする印刷装置。
【請求項２】
前記所定処理は、媒体がセットされている他の媒体供給源を選択する処理、エラー表示を行う処理、及び媒体のセットを促す処理のうちのいずれかの処理であることを特徴とする請求項１に記載の印刷装置。
【請求項３】
前記媒体供給源毎にセットされている媒体の種類を記憶する記憶部をさらに備え、
前記選択部は、前記記憶部が記憶している媒体供給源毎の媒体の種類を用いて選択を行うことを特徴とする請求項１又は２に記載の印刷装置。
【請求項４】
前記媒体供給源毎にセットされている媒体の残量又は当該媒体の有無を検知する検知部をさらに備え、
前記選択部は、前記検知部の検知結果を用いて選択を行うことを特徴とする請求項１又は２に記載の印刷装置。
【請求項５】
前記メンテナンス用印刷は、印刷ヘッドが液体噴射方式の場合にノズル不良の有無をチェックするために印刷されるノズルチェック印刷、媒体の搬送方向と交差する方向における印刷位置の調整のために印刷される印刷位置調整印刷、及び媒体の搬送方向への送り位置の調整のために印刷される媒体送り位置調整印刷のうち少なくとも一つであることを特徴とする請求項１乃至４のいずれか一項に記載の印刷装置。
【請求項６】
前記白色度合いが高い媒体は、普通紙であり、前記白色度合いが低い媒体は再生紙であることを特徴とする請求項１乃至５のいずれか一項に記載の印刷装置。
【請求項７】
受信したファックス信号に基づく印刷を媒体供給源から給送した媒体に行うファクシミリ部を備え、
前記ファクシミリ部が印刷を行う場合には、前記選択部は、普通紙又は再生紙がセットされた媒体供給源を選択し、普通紙及び再生紙がセットされていない場合は他の媒体がセットされた媒体供給源を選択することを特徴とする請求項１に記載の印刷装置。
【請求項８】
複数の媒体供給源のうち選択した媒体供給源から給送された媒体に対して印刷を行う印刷装置であって、
前記複数の媒体供給源のうち印刷対象の媒体がセットされている媒体供給源を選択する選択部と、
受信したファックス信号に基づく印刷を媒体供給源から給送した媒体に行うファクシミリ部と、
メンテナンス用印刷を媒体供給源から給送した媒体に行うメンテナンス部と、
を備え、
前記選択部は、前記ファクシミリ部が印刷を行う場合には、前記ファックス信号に基づく印刷に対応するルールに基づいて媒体供給源を選択し、前記メンテナンス部が印刷を行う場合には、前記ルールと異なるルールであって前記メンテナンス用印刷に対応するルールに基づいて媒体供給源を選択することを特徴とする印刷装置。
【請求項９】
前記メンテナンス用印刷に対応するルールでは、白色紙がセットされている媒体供給源が、色付き紙がセットされている媒体供給源より優先して選択されることを特徴とする請求項８に記載の印刷装置。
【請求項１０】
前記メンテナンス用印刷に対応するルールでは、前記白色紙がセットされている媒体供給源のうち普通紙がセットされている媒体供給源が、再生紙がセットされている媒体供給源より優先して選択されることを特徴とする請求項９に記載の印刷装置。
【請求項１１】
前記ファックス信号に基づく印刷に対応するルールでは、普通紙がセットされている媒体供給源及び再生紙がセットされている媒体供給源が、他の媒体がセットされている媒体供給源より優先して選択されることを特徴とする請求項８乃至１０のいずれか一項に記載の印刷装置。
【発明の詳細な説明】
【技術分野】
【０００１】
本発明は、印刷対象として給送される媒体がセットされる媒体供給源を複数備えた印刷装置に関する。
【背景技術】
【０００２】
例えば特許文献１には、複数枚の用紙（媒体の一例）をセット可能な給送トレイ（媒体供給源の一例）を複数備える印刷装置（インクジェットプリンター）が開示されている。この印刷装置は、高品位紙を保持する第１トレイと、普通紙を保持する第２トレイとを別々に備える。印刷モードが第１モード（高品位モード）である場合、制御部は第１駆動部を駆動させて高品位紙上に高品位印刷（単方向印刷）を行わせ、印刷モードが第２モード（普通印刷モード）である場合、制御部は第２駆動部を駆動させて普通紙上に普通印刷（双方向印刷）を行わせる。よって、上質紙や普通紙など媒体の質に関する種類を「媒体の質種」と呼ぶと、この印刷装置においては、印刷モードに応じた適切な質種の媒体に印刷を行うことができる。
【０００３】
また、特許文献２には、ユーザーが選択した文書や写真等の画像を印刷する通常の印刷機能の他、ＦＡＸ信号を受信してファックス印刷を行うファクシミリ部を備えた複合型の印刷装置（複合機）が開示されている。
【０００４】
また、印刷装置のメンテナンスを目的としてチェック用パターン（テストパターン）を印刷するメンテナンス用印刷を行う印刷装置が知られている。メンテナンス用印刷としては、例えば印刷ヘッドの用紙に対する印刷位置を調整する調整値を選択入力する際に参照されるチェック用パターンを印刷する印刷位置調整印刷（例えば特許文献３等）が知られている。また、印刷ヘッドのノズル不良（ノズルの目詰まり等）をチェックする目的でチェック用パターンを印刷するノズルチェック印刷（例えば特許文献４等）なども知られている。
【先行技術文献】
【特許文献】
【０００５】
【特許文献１】特開平１１−３２０８５４号公報
【特許文献２】特開２０１１−３７１０９号公報
【特許文献３】特開２００２−２９２９５９号公報
【特許文献４】特開２００２−２８３６７２号公報
【発明の概要】
【発明が解決しようとする課題】
【０００６】
ところで、ファクシミリ部を備えた印刷装置において、ファックス印刷とメンテナンス用印刷とをそれぞれに適した質種の媒体に印刷するためには、どの質種の媒体がセットされている給送トレイを選択すればよいかについては特許文献１〜４に何ら開示も示唆もされていない。
【０００７】
ここで、ファックス印刷は、ユーザー自身が読んで要件を把握できればよいので、比較的高価な高品位紙に印刷する必要はない。また、メンテナンス用印刷では、チェック用パターンを目視で確認し、僅かな印刷ずれや微視的なドット抜けを見極める必要がある。特に印刷装置がカラープリンターの場合、イエローなどの淡色のインクで白さがやや劣る質種の媒体に印刷された場合、印刷ずれの適切な判定やドット抜けの発見がしずらくなる虞がある。このことは、印刷装置に不適切な調整値を設定したり、ドット抜けを見逃してクリーニングをせずに印刷したりして、印刷品質の低下を招くことになる。
【０００８】
本発明は、上記課題を解決するためになされたものであり、その目的の一つは、メンテナンス用印刷をそれに適した質種の媒体を選択して行うことができる印刷装置を提供することにある。その目的の他の一つは、ファックス印刷とメンテナンス用印刷をそれぞれに適した質種の媒体を選択して行うことができる印刷装置を提供することにある。
【課題を解決するための手段】
【０００９】
以下、上記課題を解決するための手段及びその作用効果について記載する。
上記課題を解決する印刷装置は、複数の媒体供給源のうち選択した媒体供給源から給送された媒体に対して印刷を行う印刷装置であって、前記複数の媒体供給源のうち印刷対象の媒体がセットされている媒体供給源を選択する選択部と、メンテナンス用印刷を媒体供給源から給送した媒体に行うメンテナンス部と、を備え、前記メンテナンス部が印刷を行う場合には、前記選択部は、２つの白色度合いが異なる媒体のうち白色度合いが高い媒体がセットされている媒体供給源を選択し、当該媒体がセットされていない場合は前記２つの白色度合いが異なる媒体のうち白色度合いが低い媒体がセットされている媒体供給源を選択し、前記２つの白色度合いが異なる媒体がいずれもセットされていない場合、所定処理を行う。
また、上記の印刷装置では、前記所定処理は、媒体がセットされている他の媒体供給源を選択する処理、エラー表示を行う処理、及び媒体のセットを促す処理のうちのいずれかの処理であることが好ましい。
また、上記の印刷装置では、前記白色度合いが高い媒体は、普通紙であり、前記白色度合いが低い媒体は再生紙であることが好ましい。
上記の印刷装置は、受信したファックス信号に基づく印刷を媒体供給源から給送した媒体に行うファクシミリ部を備え、前記ファクシミリ部が印刷を行う場合には、前記選択部は、普通紙又は再生紙がセットされた媒体供給源を選択し、普通紙及び再生紙がセットされていない場合は他の媒体がセットされた媒体供給源を選択することが好ましい。
上記課題を解決する印刷装置は、複数の媒体供給源のうち選択した媒体供給源から給送された媒体に対して印刷を行う印刷装置であって、前記複数の媒体供給源のうち印刷対象の媒体がセットされている媒体供給源を選択する選択部と、受信したファックス信号に基づく印刷を媒体供給源から給送した媒体に行うファクシミリ部と、メンテナンス用印刷を媒体供給源から給送した媒体に行うメンテナンス部と、を備え、前記選択部は、前記ファクシミリ部が印刷を行う場合には、前記ファックス信号に基づく印刷に対応するルールに基づいて媒体供給源を選択し、前記メンテナンス部が印刷を行う場合には、前記ルールと異なるルールであって前記メンテナンス用印刷に対応するルールに基づいて媒体供給源を選択する。
上記の印刷装置において、前記メンテナンス用印刷に対応するルールでは、白色紙がセットされている媒体供給源が、色付き紙がセットされている媒体供給源より優先して選択される。
上記の印刷装置において、前記メンテナンス用印刷に対応するルールでは、前記白色紙がセットされている媒体供給源のうち普通紙がセットされている媒体供給源が、再生紙がセットされている媒体供給源より優先して選択されることが好ましい。
また、上記の印刷装置において、前記ファックス信号に基づく印刷に対応するルールでは、普通紙がセットされている媒体供給源及び再生紙がセットされている媒体供給源が、他の媒体がセットされている媒体供給源より優先して選択されることが好ましい。
上記課題を解決する印刷装置は、複数の媒体供給源のうち選択した媒体供給源から給送された媒体に対して印刷を行う印刷装置であって、前記複数の媒体供給源のうち印刷対象の媒体がセットされている媒体供給源を選択する選択部と、受信したファックス信号に基づく印刷を媒体供給源から給送した媒体に行うファクシミリ部と、メンテナンス用印刷を媒体供給源から給送した媒体に行うメンテナンス部と、を備え、前記選択部は、前記ファクシミリ部が印刷を行う場合には、前記複数の媒体供給源のうち第１の媒体がセットされている媒体供給源と前記第１の媒体と質種の異なる第２の媒体がセットされている媒体供給源とのうち一方を対等の優先度で選択し、前記メンテナンス部が印刷を行う場合には、前記複数の媒体供給源のうち前記第２の媒体よりも白さで勝る前記第１の媒体がセットされている媒体供給源を選択し、前記第１の媒体がセットされていない場合は前記第２の媒体がセットされている媒体供給源を選択する。
【００１０】
この構成によれば、ファクシミリ部が印刷を行う場合には、第１の媒体がセットされている媒体供給源と第２媒体がセットされている媒体供給源とのうち一方が対等の優先度で選択される。このため、ファックスは第１の媒体又は第２の媒体に印刷される。また、メンテナンス部が印刷を行う場合には、第１の媒体がセットされている媒体供給源が選択され、第２の媒体よりも白い第１の媒体にメンテナンス用印刷が行われる。一方、第１の媒体がセットされていないときには、第２の媒体がセットされている媒体供給源が選択され、第２の媒体にメンテナンス用印刷が行われる。よって、ファックスは印刷した場合に読むことに支障のない第１の媒体又は第２の媒体に適切に印刷でき、メンテナンス用印刷は第２の媒体よりも白い第１の媒体に優先的に印刷されることで、その印刷結果を確認し易い。
【００１１】
また、上記の印刷装置では、前記複数の媒体供給源に前記第１の媒体と前記第２の媒体とのいずれもがセットされていない場合は、媒体の残量がある他の媒体供給源を選択する処理、エラー表示を行う処理、及び媒体のセットを促す処理のうち少なくとも一つを含む媒体なし処理を行うことが好ましい。
【００１２】
この構成によれば、複数の媒体供給源に第１の媒体と第２の媒体とのいずれもがセットされていない場合は、媒体なし処理として、媒体の残量がある他の媒体供給源を選択する処理、エラー表示を行う処理、及び媒体のセットを促す処理のうち少なくとも一つが行われるので、ファックス印刷又はメンテナンス用印刷がなされないまま放置されることを回避できる。
【００１３】
また、上記の印刷装置では、前記媒体供給源毎にセットされている媒体の少なくとも質種を記憶する記憶部をさらに備え、前記選択部は、前記記憶部が記憶している媒体供給源毎の媒体の質種を用いて選択を行うことが好ましい。
【００１４】
この構成によれば、選択部は、記憶部が記憶している媒体供給源毎にセットされている媒体の質種の情報を用いて、適切な質種の媒体がセットされた媒体供給源を速やかに選択できる。
【００１５】
上記の印刷装置では、前記媒体供給源毎にセットされている媒体の残量又は当該媒体の有無を検知する検知部をさらに備え、前記選択部は、前記検知部の検知結果を用いて選択を行うことが好ましい。
【００１６】
この構成によれば、選択部は、記憶部が記憶している媒体供給源毎にセットされている媒体の少なくとも質種を用いて第１の媒体又は第２の媒体がセットされている媒体供給源を選択すると、検知部がその選択された媒体供給源において媒体を検知していれば、その媒体供給源を選択する。よって、媒体がセットされていない空の媒体供給源が選択されることを回避できる。一方、第１の媒体がセットされた媒体供給源と第２の媒体がセットされた媒体供給源とのいずれも存在しない場合は、媒体なし処理が行われる。よって、選択部は、検知部の検知結果を用いて適切な処理を行うことができる。
【００１７】
さらに上記の印刷装置において、前記メンテナンス用印刷は、印刷ヘッドが液体噴射方式の場合にノズル不良の有無をチェックするために印刷されるノズルチェック印刷、媒体の搬送方向と交差する方向における印刷位置の調整のために印刷される印刷位置調整印刷、及び媒体の搬送方向への送り位置の調整のために印刷される媒体送り位置調整印刷のうち少なくとも一つであることが好ましい。
【００１８】
この構成によれば、メンテナンス用印刷として、ノズルチェック印刷、印刷位置調整印刷、及び媒体送り位置調整印刷のうち少なくとも一つを行うときに、第１の媒体に印刷されるので、印刷結果を確認し易い。例えばノズルチェック印刷の場合は、ノズルのクリーニングが必要であるかどうか適切に確認でき、印刷位置調整印刷の場合は、媒体の搬送方向と交差する方向における印刷位置の調整値を適切に選択して入力設定でき、さらに媒体送り位置調整印刷の場合は、媒体の搬送方向への送り位置の調整値を適切に選択して入力設定できる。
【００１９】
また、上記の印刷装置では、前記第１の媒体は普通紙であり、前記第２の媒体は再生紙であることが好ましい。
この構成によれば、印刷されたファックスを読むのに支障がなくかつ上質紙に比べ低品質で比較的安価な普通紙又は再生紙にファックスを印刷できる。また、メンテナンス用印刷を再生紙よりも白い普通紙に行うため、その印刷結果をチェックし易いうえ、普通紙がセットされていない場合は再生紙にメンテナンス用印刷を行うことができる。
【図面の簡単な説明】
【００２０】
【図１】複合機型のプリンターを示す斜視図。
【図２】プリンターの電気的構成を示すブロック図。
【図３】プリンターの機能的構成を示すブロック図。
【図４】（ａ）〜（ｄ）は給送トレイと用紙の種類との対応関係を設定する設定画面の遷移を示す図。
【図５】表示部に表示されたメインメニュー画面を示す図。
【図６】給送トレイと用紙の種類との対応関係が設定された設定データを示す図。
【図７】印刷位置調整用のチェック用パターンの一例を示す平面図。
【図８】用紙送り位置調整用のチェック用パターンの一例を示す平面図。
【図９】ノズルチェック用のチェック用パターンの一例を示す平面図。
【図１０】モードに応じた印刷制御処理を示すフローチャート。
【図１１】ＦＡＸ用トレイ選択処理ルーチンを示すフローチャート。
【図１２】メンテナンス用トレイ選択処理ルーチンを示すフローチャート。
【図１３】通常印刷用トレイ選択処理ルーチンを示すフローチャート。
【発明を実施するための形態】
【００２１】
以下、印刷装置の一例であるプリンターに具体化した一実施形態を、図１〜図１０に基づいて説明する。
図１に示すプリンター１１は、スキャン機能、プリント機能、コピー機能及びファクシミリ機能を併せ持つ複合機である。プリンター１１は、略直方体形状を有する装置本体１２と、装置本体１２の前面（図１では右手前面）に設けられた操作パネル１３とを備えている。操作パネル１３には、表示部１４及び複数の操作スイッチからなる操作部１５が設けられている。操作部１５には、電源スイッチ１５ａ、印刷開始ボタン１５ｂ及び各種モードを切り替えるモード切替えボタン１５ｃなどが含まれる。なお、本実施形態の表示部１４はその画面に表示されたボタンに触れるとそのボタンに対応する内容を選択入力可能なタッチパネルになっており、このタッチパネル機能も操作部の一部を構成する。
【００２２】
図１に示すように、装置本体１２の前面下部には、媒体の一例としての用紙Ｐを複数枚収容（セット）可能な複数（図１の例では三つ）のカセット型の給送トレイ１６〜１８（給送カセット）が、それぞれ装置本体１２の対応する部位に個別に設けられた各収容凹部に対して着脱可能な状態で装着されている。
【００２３】
図１に示す給送トレイ１６〜１８は、カセット型のため、比較的多数枚の用紙を収容可能であり、その収容可能枚数は一例として１００〜５００枚の範囲内の所定数である。給送トレイ１６〜１８にセットされている用紙の種類（用紙サイズ及び質種）はあまり変更されない。また、装置本体１２の背面側には、傾斜した姿勢に配置される手差し型の給送トレイ１９（手差しトレイ）が設けられている。給送トレイ１９は、手差し型のため、そのセット可能枚数は給送トレイ１６〜１８のそれに比べて少なく、例えば１〜１００枚の範囲内の所定数である。このため、手差しトレイ１９にセットされる用紙の種類が変更される頻度は相対的高い。なお、以下、三つの給送トレイ１６〜１８を区別する場合は、上側から順に、第１トレイ１６、第２トレイ１７、第３トレイ１８と呼ぶものとする。また、本明細書では、普通紙、再生紙などの用紙の質に関する種類を示す呼称として「質種」を用いる。そして、「用紙サイズ」と「質種」とを包含する呼称として「用紙の種類」を用いる。ここで、「用紙の種類」が異なるとは、「用紙サイズ」と「質種」との少なくとも一方が異なることを意味する。
【００２４】
本実施形態の四つの給送トレイ１６〜１９は、プリンター１１が対応可能な最大用紙サイズ以下の複数の用紙サイズに対応可能である。一例として最大用紙サイズが「Ａ４判」の場合、給送トレイ１６〜１８に設けられた不図示の用紙ガイド（エッジガイド）をスライドさせることによりＡ４判サイズ以下の複数の用紙サイズに対応可能である。なお、本実施形態では、最大用紙サイズがＡ４判の例で以下説明するが、最大用紙サイズはＢ４判又はＢ５判などの他のサイズでもよい。
【００２５】
また、プリンター１１では、四つの給送トレイ１６〜１９のそれぞれに異なる質種の用紙Ｐをセットしておくことが可能であり、印刷前における異なる質種への用紙の交換頻度が少なく済む。給送トレイ１６〜１９にセットして使用される用紙の質種としては、普通紙、再生紙、光沢紙、マット紙、写真紙、上質紙（高品位紙）、色付き紙などがある。色付き紙以外は白色紙（白色系の媒体）であり、一般的に、写真紙、光沢紙及びマット紙は、同程度に極めて白く、次に普通紙が白く、再生紙は普通紙に比べ白さで劣る。また、一般に、質種別の用紙の価格は、写真紙、光沢紙、マット紙及び上質紙は比較的高く、普通紙は安く、再生紙はさらに安い。なお、本実施形態では、白色系の媒体である普通紙及び再生紙のうち、普通紙が第１の媒体の一例に相当し、普通紙よりも白さで劣る再生紙が第２の媒体の一例に相当する。また、光沢紙、マット紙、写真紙及び上質紙が上質媒体の一例に相当し、再生紙が再生媒体の一例に相当し、再生媒体と上質媒体との間の品質である普通紙が普通媒体の一例に相当する。
【００２６】
複数の給送トレイ１６〜１８のうちの一つから給送された用紙Ｐは、装置本体１２内の背面側に配置された用紙反転経路（図示省略）に沿って反転した後、搬送方向Ｙに沿って搬送される。
【００２７】
図１に示すように、装置本体１２内には、搬送方向Ｙと交差する主走査方向Ｘ（本例では幅方向）に延びるガイド軸２１に案内されて往復移動可能なキャリッジ２２が設けられている。キャリッジ２２の下部に取り付けられた印刷ヘッド２３は、搬送される用紙Ｐ（図１では二点鎖線で示す）にインク滴を噴射可能な複数のノズルを有し、キャリッジ２２が主走査方向Ｘに往復移動しながらその移動途中でノズルからインク滴を噴射することで、用紙Ｐの表面に文書又は画像等の印刷が施される。印刷済みの用紙Ｐは、搬送方向Ｙへ送られて装置本体１２の正面中段位置に開口する排出口２４から排出され、例えばスライド式の排出スタッカー２５（排出トレイ）上に積載される。
【００２８】
このように図１に示すプリンター１１では、装置本体１２の下部がプリンター部２６になっており、その上側にスキャナー部２７が配置されている。スキャナー部２７は、装置本体１２の上面部に配置された原稿読取り面を有する不図示の原稿台と、装置本体１２の上側に原稿台に対して開閉可能に設けられたカバー２８とを有する。カバー２８の上部には、複数枚の原稿をセットしてスキャナー部２７へ一枚ずつ給送可能な自動原稿給送ユニット２９（オートドキュメントフィーダー）が設けられている。
【００２９】
次に図２を用いてプリンター１１の電気的構成を説明する。図２に示すように、プリンター１１は、その全体的な制御を司るコントローラー３０、操作パネル１３、スキャンエンジン３１、プリントエンジン３２、及びファクシミリ通信部（以下「ＦＡＸ通信部３３」と称す）を備える。また、プリンター１１は、外部メモリーインターフェイス（以下「外部メモリーＩ／Ｆ３４」と称す）及び通信インターフェイス（以下「通信Ｉ／Ｆ３５」と称す）などを備える。スキャンエンジン３１は、ラインセンサを有する走査ヘッド、走査ヘッドを走査させる動力源となる電動モーター及びラインセンサの読み取り箇所を照明するランプなどを備える。
【００３０】
図２に示すプリントエンジン３２は、印刷ヘッド２３、キャリッジ２２を移動させる動力源となるキャリッジモーター３６、給送トレイ１６〜１９から用紙Ｐを給送する動力源となる給送モーター３７、給送された用紙Ｐを搬送する動力源となる搬送モーター３８、印刷ヘッド２３のノズルをクリーニングするクリーニング装置３９などを備える。コントローラー３０は、印刷データに基づきプリントエンジン３２を駆動制御して用紙Ｐに印刷する。また、コントローラー３０は、スキャンエンジン３１及びプリントエンジン３２を駆動制御し、スキャンエンジン３１で読み取った原稿の画像データに基づく画像をプリントエンジン３２に印刷させることにより、原稿の「コピー」を行う。なお、プリンター１１は一例としてカラープリンターであり、印刷ヘッド２３には例えばシアン（Ｃ）、マゼンタ（Ｍ）、イエロー（Ｙ）、黒（Ｋ）の４色のインクを噴射するためのノズルが色別に所定個数（一例として１８０個又は３６０個）ずつ形成されている。
【００３１】
図２に示すＦＡＸ通信部３３は、電話回線を介した着信を検出可能なリング検出部（図示せず）を備え、リング検出部からのリング検出信号の入力があるとファックスの着信の旨をコントローラー３０に通知する。この通知後、ＦＡＸ通信部３３は、コントローラー３０からの指示に従って電話回線に接続してファックスデータを受信する。コントローラー３０は、受信したファックスデータに基づくＦＡＸ原稿をプリントエンジン３２を駆動制御して用紙Ｐに印刷させる。また、ＦＡＸ通信部３３は、電話回線と接続してプリンター１１からファックスデータを送信する機能も有する。
【００３２】
外部メモリーＩ／Ｆ３４は、プリンター１１のスロット１２ａに挿入された外部記憶媒体ＥＭ（例えばメモリーカード）へのコントローラー３０によるアクセスを可能にする。コントローラー３０は、カード印刷命令を受け付けると、外部メモリーＩ／Ｆ３４を介して外部記憶媒体ＥＭから読み出した画像データを基にプリントエンジン３２を駆動制御して画像を印刷する。
【００３３】
通信Ｉ／Ｆ３５は、プリンター１１をホスト装置１００と接続するためのものである。ユーザーはホスト装置１００のモニターに表示された画像と文書とのうち少なくとも一方を含む印刷対象を指定して印刷の実行を指示すると、ホスト装置１００内のプリンタードライバー（図示せず）が印刷データを生成してプリンター１１に送信する。コントローラー３０は、ホスト装置１００から受信した印刷データを基にプリントエンジン３２を駆動制御して画像と文書とのうち少なくとも一方を含む印刷対象を印刷する。なお、ホスト装置１００には、パーソナルコンピューター、携帯情報端末（ＰＤＡ（Personal Digital Assistants））、タブレットＰＣ、スマートフォンなどが用いられる。
【００３４】
図２に示すコントローラー３０はコンピューター４０を備えている。コンピューター４０は、ＣＰＵ４１（中央処理装置）、ＡＳＩＣ４２（Application Specific IC（特定用途向けＩＣ））、記憶部の一例としての不揮発性メモリー４３及びＲＡＭ４４を備えている。不揮発性メモリー４３には、プリンター１１の各種制御に必要なプログラムが記憶されている。不揮発性メモリー４３には、プログラムの一部として、印刷モードに応じた種類の用紙がセットされた給送トレイから用紙を給送してそのときの印刷モードに応じた印刷を行う図１０〜図１３にフローチャートで示す印刷制御用プログラムが記憶されている。印刷モードには、受信したＦＡＸを印刷するときのＦＡＸモード、印刷制御上の調整値をユーザーが選択入力する際に参照するチェック用パターンを印刷するときのメンテナンスモード、それ以外の通常印刷を行うときの通常印刷モードの主に３つのモードがある。
【００３５】
さらに不揮発性メモリー４３には、上記の印刷制御用プログラムを実行するＣＰＵ４１が、印刷モードに応じた種類の用紙がセットされた給送トレイを選択する際に参照する参照データとして、各給送トレイ１６〜１９とそれにセットされている用紙の種類との対応関係を示す設定データＳＤ（図６を参照）が記憶されている。ここで、本例における「用紙の種類」とは、前述のように「用紙サイズ」と「質種」とを指す。
【００３６】
図２に示すように、装置本体１２内には、給送モーター３７を動力源として各給送トレイ１６〜１８から用紙Ｐを一枚ずつ送り出す給送駆動部４６が給送トレイ毎に設けられている。各給送駆動部４６は、装置本体１２側のフレームに軸支された揺動部材４７の先端部に回転可能に支持されたピックアップローラー４８を備える。給送トレイ１６〜１８にセットされた用紙Ｐの上面に当接する方向に不図示のばねにより付勢されたピックアップローラー４８が回転すると、用紙群のうち最上位の一枚が給送方向下流側へ送り出される。また、手差し型の給送トレイ１９の基端部近傍位置に設けられた給送ローラー４９が、給送モーター３７の動力で回転駆動することにより、給送トレイ１９上の用紙群のうち最上位の一枚が給送方向下流側へ送り出される。
【００３７】
また、図２に示すように、装置本体１２には、給送トレイ１６〜１８の取外し及び装着を検知可能なトレイセンサー５１〜５３が給送トレイ毎に設けられている。これらのトレイセンサー５１〜５３はコントローラー３０の入力端子に接続されている。
【００３８】
また、装置本体１２又は給送トレイ１６〜１８には、給送トレイ１６〜１８上の用紙Ｐの有無を検知可能な検知部の一例としての紙センサー５４〜５６が、給送トレイ１６〜１８毎に設けられている。また、装置本体１２には、手差し型の給送トレイ１９上の用紙Ｐの有無を検知可能な検知部の一例としての紙センサー５７が設けられている。これらの紙センサー５４〜５７は、コントローラー３０の入力端子に接続されている。
【００３９】
このため、コントローラー３０は、トレイセンサー５１〜５３の検知信号に基づき給送トレイ１６〜１８が装置本体１２から取り外された後に再び装着された特定の操作を検知可能である。このとき、給送トレイ１６〜１８にセットされている用紙Ｐが交換されて用紙の種類が変更された可能性がある。また、コントローラー３０は、紙センサー５７の検知信号が非検知状態から検知状態に切り替わったことをもって、手差しトレイ１９上の用紙が交換されたと検知する。このとき、手差し型の給送トレイ１９上の用紙Ｐが交換されてセットされている用紙の種類が変更された可能性がある。
【００４０】
また、紙センサー５４〜５７は、給送トレイ１６〜１９にセットされている用紙Ｐを検知したときに紙有りの旨の検知信号をコントローラー３０に出力し、給送トレイ１６〜１９にセットされた用紙Ｐがないときに紙無しの旨の非検知信号をコントローラー３０に出力する。このため、コントローラー３０は、紙センサー５４〜５７からの信号を基に給送トレイ１６〜１９上の用紙Ｐの残量の有無を確認可能である。紙センサー５４〜５７は、接触式又は非接触式のスイッチ型センサーでもよいし、用紙Ｐの残量を検出可能な距離センサー、圧力センサー、光学センサーなどを挙げることができる。
【００４１】
次に、図３を用いてコントローラー３０の機能的構成について説明する。コントローラー３０は、プログラムを実行するＣＰＵ４１によりソフトウェアとして構築される機能部分、及びＡＳＩＣ４２内の回路に書き込まれたプログラムにより構築される機能部分を備えている。詳しくは、コントローラー３０は、その機能構成部分として、設定部６１、モード判定部６２、選択部の一例としてのトレイ選択部６３及び制御部６４を備えている。
【００４２】
図３に示す制御部６４は、印刷制御をはじめとするプリンター１１における各種制御を司る。制御部６４は、印刷制御を行う部分として、通常の印刷を行う印刷制御部６５と、ＦＡＸ通信部３３で受信したＦＡＸ原稿を印刷するファクシミリ制御部６６、チェック用パターンを印刷するメンテナンス制御部６７とを備えている。ここで、通常の印刷は、ＦＡＸ印刷とメンテナンス用印刷と異なる印刷を指し、例えば、ホスト装置１００から受信した印刷データに基づく印刷、外部記憶媒体ＥＭから読み込んだ画像データに基づく印刷（カード印刷等）及びコピー印刷などが含まれる。なお、本実施形態では、ＦＡＸ通信部３３及びファクシミリ制御部６６により、ファクシミリ部の一例が構成される。また、メンテナンス制御部６７により、メンテナンス部の一例が構成される。
【００４３】
図５に示すように、表示部１４にはメインメニュー画面７０が表示される。メインメニュー画面７０には、プリンター１１に実行させる処理を選択するため、印刷ボタン７１。スキャンボタン７２、コピーボタン７３、ＦＡＸボタン７４、メンテナンスボタン７５及びトレイ設定ボタン７６が用意されている。図５に示すメインメニュー画面７０において、「印刷」「スキャン」「コピー」「ＦＡＸ」「メンテナンス」「トレイ設定」のボタン７１〜７６のうち一つを選択操作すると、その選択された項目に関する下位の設定画面が表示される。その設定画面で選択項目を選択することで設定条件が変更される。例えば印刷ボタン７１を選択すると、印刷の種類を選択する選択画面に切り替わり、例えばスロット１２ａに挿入した外部記憶媒体（例えばメモリーカード）から画像データを読み取って印刷するカード印刷を行いたい場合は、カード印刷ボタン（図示せず）を選択し、印刷条件を設定したうえで操作部１５を操作して印刷の実行を指示する。
【００４４】
スキャンボタン７２は原稿をスキャンするときに操作され、その下位画面でスキャン条件の設定及びスキャンの実行指示操作が可能である。コピーボタン７３はコピーするときに操作され、その下位画面でコピー条件の設定及びコピーの実行指示操作が可能である。ＦＡＸボタン７４は、ＦＡＸするときに操作され、その下位画面でＦＡＸ条件の設定及びＦＡＸ印刷の実行指示操作が可能である。また、メンテナンスボタン７５は、プリンター１１の印刷制御上の調整値を選択する際に参照するテストパターンや、ノズルの目詰まりを調べるためにノズルチェックパターンなどのメンテナンス用印刷をするときに操作される。メンテナンスボタン７５を操作して表示されるその下位画面のメンテナンス画面において、メンテナンス（調整）の種類の選択及びその種類に応じたチェック用パターンの印刷の実行指示操作を行うことが可能である。さらにトレイ設定ボタン７６は、給送トレイ１６〜１９と、セットされている用紙の種類（用紙サイズ及び質種）との対応関係を示す設定データＳＤ（図６を参照）を更新するときに操作される。トレイ設定ボタン７６を操作して表示されるその下位画面では、給送トレイの選択と、セットされている用紙の種類（用紙サイズ及び質種）の入力とが可能である。
【００４５】
次に図３に戻って、設定部６１、モード判定部６２、トレイ選択部６３、制御部６４の機能について詳細に説明する。
図３に示す設定部６１は、例えばトレイ設定ボタン７６が操作されると起動され、表示部１４に図４（ａ）に示す設定画面８０を表示させる。図４（ａ）に示す設定画面８０には、給送トレイ別にセットされている用紙Ｐの用紙サイズと質種とがボタン表示領域内に表示されたトレイ選択ボタン８１Ａ，８１Ｂ，８１Ｃが設けられ、矢印キー８２を操作するとその操作した矢印の方向へ画面がスクロールされ、全てのトレイ選択ボタンを選択可能となっている。
【００４６】
例えば設定画面８０で第１トレイのトレイ選択ボタン８１Ａを選択操作すると、図４（ｂ）に示すトレイ別設定画面８３に切り替わる。トレイ別設定画面８３には、選択された給送トレイにセットされた用紙Ｐの用紙サイズを設定するときに操作される用紙サイズボタン８４と、質種を設定するときに操作される質種ボタン８５とが設けられている。
【００４７】
例えば用紙サイズボタン８４を選択操作すると、図４（ｃ）に示す用紙サイズ選択画面８６に切り替わる。この用紙サイズ選択画面８６の例では、用紙サイズの選択対象として、Ａ４判、Ｂ５判、Ａ５判、レターなどの用紙サイズの候補の一覧がボタン８７で表示される。画面８６中の矢印キー８２を操作するとその操作した矢印の方向へ画面がスクロールされ、全ての用紙サイズボタン８９を選択可能となっている。図４（ｃ）の例に示すように、用紙サイズとして同図に太枠で示された「Ｂ５」のボタン８７が選択されると、「Ａ４」に替わって「Ｂ５」が設定される。
【００４８】
一方、図４（ｂ）に示すトレイ別設定画面８３で質種ボタン８５を選択操作すると、図４（ｄ）に示す質種選択画面８８に切り替わる。この質種選択画面８８の例では、普通紙、再生紙、色付き紙、写真紙などのプリンターが対応可能な質種の候補の一覧がボタン８９で表示される。画面８８中の矢印キー８２を操作するとその操作した矢印の方向へ画面がスクロールされ、全ての質種のボタン８９を選択可能となっている。図４（ｄ）の例に示すように、質種として同図に太枠で示された「色付き紙」のボタン８９が選択されると、「普通紙」に替わって「色付き紙」が設定される。こうして設定データＳＤは更新される。
【００４９】
ところで、ユーザーが給送トレイ１６〜１９のうち少なくとも一つにセットされた用紙を異なる種類の用紙に交換すると、実際の給送トレイ１６〜１９と用紙の種類との対応関係が設定データＳＤと異なることになる。このため、印刷時に指定した用紙の種類と異なる用紙に印刷される虞がある。そこで、本実施形態の設定部６１は、ユーザーが給送トレイにセットされた用紙を交換した特定の操作を検知すると、表示部１４にその給送トレイにセットされている用紙の種類を問い合わせてその入力を促す問合せ画面８３Ａを表示させる。問合せ画面８３Ａは、例えば図４（ｂ）に示すトレイ別設定画面８３と同様の画面で、例えば「給送トレイにセットされている用紙の種類を入力してください。」などの入力を促すメッセージが表示される。
【００５０】
問合せ画面８３Ａでの操作で用紙サイズと質種のうち少なくとも一方が変更された場合、設定部６１は、設定データＳＤにおける該当する給送トレイに対応するデータ部分をその変更された内容に更新する。こうして不揮発性メモリー４３には、給送トレイと給送トレイにセットされている用紙の種類との対応関係を示す設定データＳＤが記憶される。なお、用紙サイズと質種に変更がなければ問合せ画面８３Ａに用意された不図示のキャンセルボタンを操作することにより、それまでの設定が維持されるとともに表示部１４がメインメニュー画面７０に切り替わる。
【００５１】
図６に示すように、設定データＳＤには、各給送トレイに番号で付与されたインデックスＩｎ、インデックスＩｎに対応する給送トレイ１６〜１９、及び用紙の種類が設定されている。用紙の種類には、前述のように用紙サイズと質種とがある。図６では、図４（ｃ），（ｄ）で第１トレイ１６の用紙サイズを「Ｂ５」、質種を「色付き紙」に変更された後の例を示している。すなわち、図６に示す設定データＳＤでは、第１トレイ１６に「Ｂ５判」の「色付き紙」がセットされ、第２トレイ１７に「Ａ４判」の「再生紙」がセットされ、第３トレイ１８に「Ａ４判」の「普通紙」がセットされ、さらに手差しトレイ１９に「Ｂ５判」の「普通紙」がセットされている。
【００５２】
図３に示すモード判定部６２は、入力信号に基づいて印刷モードを判別する。モード判定部６２には、操作部１５からの印刷を指示する操作信号、ＦＡＸ通信部３３が受信したＦＡＸ信号、通信Ｉ／Ｆ３５を通じて受信した印刷データが入力される。モード判定部６２は、ＦＡＸ通信部３３がＦＡＸを受信した場合に発信するＦＡＸ信号（ＦＡＸデータであってもよい）が入力された場合はＦＡＸモードと判定し、表示部１４に表示されたメンテナンス画面でメンテナンス用印刷を指示する操作がなされた際の操作信号が入力された場合はメンテナンスモードであると判定する。さらにモード判定部６２は、表示部１４に表示された印刷指示画面で通常印刷（カード印刷又はコピー印刷等）を指示する操作がなされた際の操作信号が入力された場合、及びホスト装置１００から印刷を指示する印刷信号（印刷データであってもよい）が入力された場合は、通常印刷モードであると判定する。このモード判定結果は、モード判定部６２からトレイ選択部６３へ送られる。
【００５３】
トレイ選択部６３は、印刷モードに応じた種類の用紙がセットされている給送トレイを選択する。詳しくは、トレイ選択部６３は、通常印刷モードの場合、入力したデータのヘッダに印刷条件の一部として含まれる用紙の種類と同じ種類の用紙がセットされた給送トレイを、設定データＳＤを参照して選択する。また、トレイ選択部６３は、ＦＡＸモードの場合、再生紙と普通紙を対等（同レベル）の優先度で給送トレイを選択する。さらにトレイ選択部６３は、メンテナンスモードの場合、普通紙を最優先し、普通紙が無ければ次に再生紙を優先するように給送トレイを選択する。
【００５４】
印刷制御部６５は、通常印刷モードの場合、入力データに基づきプリントエンジン３２を駆動制御して印刷を行う。詳しくは、印刷制御部６５は、ホスト装置１００から受信した印刷データに基づく印刷、外部記憶媒体ＥＭ（例えばメモリーカード）から読み込んだ画像を印刷するカード印刷、コピー印刷を実行する。また、ファクシミリ制御部６６は、ＦＡＸモードであると判定した場合、ＦＡＸデータに基づきプリントエンジン３２を駆動制御してＦＡＸ原稿を印刷する。
【００５５】
図３に示すメンテナンス制御部６７は、メンテナンスモードの場合、メンテナンス画面で選択したメンテナンス印刷の項目に応じたメンテナンス用印刷を行う。詳しくは、メンテナンス制御部６７は、メンテナンス印刷の項目に応じたチェックパターン印刷データを読み出して、その印刷データに基づきプリントエンジン３２を駆動制御することで、チェック用パターンを印刷する。このメンテナンス印刷の項目には、例えば、印刷ヘッド２３の主走査方向Ｘにおける印刷位置を調整するための印刷位置調整印刷（ギャップ調整印刷）、用紙の搬送方向への送り位置を調整するための用紙送り位置調整印刷、印刷ヘッド２３のノズルの目詰まり等の不良の有無をチェックするためのノズルチェック印刷などがある。
【００５６】
図７は、印刷位置調整用のチェック用パターン９１の一例を示し、双方向印刷時の印刷ヘッド２３の往動過程の印刷位置（インク着弾位置）と復動過程の印刷位置とのずれを調整するＢｉ−ｄ調整（ギャップ調整）に用いられる。チェック用パターン９１は、印刷ヘッド２３の往動過程の印刷位置と復動過程の印刷位置とを規定する調整値を少しずつ変えて印刷される複数の単位パターン９２を含む。ユーザーは普通紙Ｐ１に印刷されたチェック用パターン９１を目視で確認し、印刷ずれの一番小さい単位パターン９２に付与された番号を、操作部１５の操作でプリンター１１に入力して印刷位置の調整値を設定する。なお、図７では、１色分のチェック用パターン９１のみ示している。
【００５７】
図８は用紙送り位置調整用のチェック用パターン９３の一例を示す。チェック用パターン９３は、搬送モーター３８による用紙の送りピッチの条件を変えて二つの横長のバー９４，９５を印刷してなる複数の単位パターン９６を含む。ユーザーは普通紙Ｐ１に印刷されたチェック用パターン９３を目視で確認し、バー９４，９５間の搬送方向のずれの一番小さい単位パターン９６に付与された番号を、操作部１５の操作でプリンター１１に入力して用紙送り位置の調整値を設定する。
【００５８】
図９はノズルチェック用のチェック用パターン９７の一例を示す。チェック用パターン９７は、印刷ヘッド２３の全てのノズルを使ってインク滴を噴射して印刷ドットが重ならないようにインク色毎（ＣＭＹＫ毎）に形成された複数のパターン９８を含む。ユーザーは普通紙Ｐ１に印刷されたチェック用パターン９７を目視で確認し、ノズル目詰まり等に起因するドット抜け９９が存在した場合、操作部１５を操作してクリーニングを指示し、クリーニング装置３９による印刷ヘッド２３のノズルクリーニングを実施させる。
【００５９】
次にプリンター１１の作用を説明する。以下、図１０〜図１３に示すフローチャートに従って各印刷モードにおけるトレイ選択処理を説明する。まず図１０に基づいてトレイ選択処理を伴う印刷制御処理の全体を説明する。ＣＰＵ４１は、印刷の実行のトリガーとなる信号又はデータを入力すると、図１０にフローチャートで示すプログラムを実行する。なお、図１０〜図１３では、給送トレイを単に「トレイ」と記している。
【００６０】
まずステップＳ１では、入力した信号又はデータに基づいてＦＡＸモードであるか否かを判定する。入力信号がＦＡＸ信号である場合にはＦＡＸモードであると判定し、それ以外の信号又はデータである場合はＦＡＸモードではないと判定する。ＦＡＸモードであればステップＳ２に進んで、ＦＡＸ用トレイ選択処理を実行する。そして、ステップＳ３において、選択したＦＡＸ用の給送トレイから用紙を給送してＦＡＸ印刷を行う。
【００６１】
一方、ステップＳ２においてＦＡＸモードでなければ、ステップＳ４に進んで、メンテナンスモードであるか否かを判定する。入力信号がメンテナンス印刷指示信号であればメンテナンスモードと判定し、それ以外の信号である場合はメンテナンスモードではないと判定する。メンテナンスモードであればステップＳ５に進んで、メンテナンス用トレイ選択処理を実行する。そして、ステップＳ６において、選択した給送トレイから用紙を給送してチェック用パターンを印刷する。
【００６２】
一方、ステップＳ４においてメンテナンスモードでなければ（つまり通常印刷モードであれば）、ステップＳ７に進んで、通常印刷用トレイ選択処理を実行する。次のステップＳ８において給送トレイを選択できたか否かを判定し、給送トレイを選択できた場合は、ステップＳ９に進んで、選択した給送トレイから用紙を給送して通常印刷を行う。一方、ステップＳ８でトレイを選択できなかった場合は、ステップＳ１０に進んでエラー報知を行う。
【００６３】
なお、図３に示すモード判定部６２がステップＳ１及びＳ４のモード判定処理を行う。また、トレイ選択部６３がステップＳ２，Ｓ５及びＳ７におけるトレイ選択処理を行う。また、ファクシミリ制御部６６がステップＳ３におけるＦＡＸ印刷処理を行い、メンテナンス制御部６７がステップＳ５におけるチェック用パターン印刷処理を行い、さらに印刷制御部６５がステップＳ７における通常印刷処理を行う。
【００６４】
次に図１０におけるステップＳ２，Ｓ５及びＳ７における各トレイ選択処理の詳細を図１１〜図１３に基づいて説明する。これらのトレイ選択処理は、トレイ選択部６３が不揮発性メモリー４３に記憶された図６に示す設定データＳＤを参照して行う。まず図１１に示すＦＡＸ用トレイ選択処理ルーチンを説明する。
【００６５】
ステップＳ１１では、１つ目のトレイを選択する。図６に示す設定データＳＤ中の各データに付されたインデックスＩｎの順番にトレイの選択処理を行う。このため、ステップＳ１１では、設定データＳＤにおけるインデックス「１」の第１トレイを選択する。
【００６６】
次のステップＳ１２では、選択したトレイが普通紙又は再生紙であるか否かを判断する。詳しくは、設定データＳＤにおけるインデックス「１」の第１トレイに対応する質種を調べ、その質種が普通紙又は再生紙であるか否かを判断する。その質種が普通紙又は再生紙である場合は、ステップＳ１３に進む。
【００６７】
ステップＳ１３では、選択したトレイは残量があるか否かを判断する。詳しくは、紙センサー５４〜５７のうちそのトレイに対応する一つからの検知信号を基にそのトレイにおける用紙の有無を判定し、用紙が有れば残量があると判断する。残量があればそのトレイを選択して当該ルーチンを終了する。一方、ステップＳ１２で普通紙又は再生紙でないと判断した場合、又はステップＳ１３において選択したトレイは残量が無いと判断した場合は、ステップＳ１４に進む。
【００６８】
ステップＳ１４では、全て選択したか否かを判断する。すなわち、設定データＳＤのうち全てのインデックスを選択し終えたか否かを判断する。全て選択していない場合は（Ｓ１４で否定判定）、ステップＳ１５に進んで次のトレイを選択する。例えば現在のインデックスＩｎ（例えば「１」）に「１」を加えた値のインデックスＩｎ＝Ｉｎ＋１（例えば「２」）に更新する。そしてステップＳ１２に戻る。
【００６９】
以下、同様に、更新後の今回のインデックスについてステップＳ１２〜Ｓ１４の処理を行い、選択したトレイが普通紙又は再生紙であり（Ｓ１２で肯定判定）、かつその選択したトレイは残量がある（Ｓ１３で肯定判定）と判定するまで、あるいはステップＳ１４で全て選択したと判定するまで、ステップＳ１２〜Ｓ１５の処理を繰り返す。例えば図６に示す設定データＳＤが設定されているとすると、インデックス「１」の第１トレイに対応する質種が「色付き紙」であるため、第１トレイは選択されない。その後、インデックス「２」の第２トレイに対応する質種が「再生紙」であるため、第２トレイが選択される。また、仮にインデックス「２」の第２トレイに対応する質種が再生紙でも普通紙でもない場合は、その後、インデックス「３」の第３トレイに対応する質種が「普通紙」であるため、第３トレイ１８が選択される。
【００７０】
一方、設定データＳＤに設定された全てのトレイに対応する質種に、普通紙と再生紙がどちらも１つも無い場合は、ステップＳ１４で全て選択したと判断し、ステップＳ１６に進む。
【００７１】
ステップＳ１６では、紙有りのトレイを選択する。すなわち、普通紙と再生紙が共に無い場合に行う紙なし処理（媒体なし処理の一例）として、普通紙と再生紙以外の他の質種の用紙がセットされている給送トレイのうち、紙センサーの信号に基づき紙有りと判断した一つの給送トレイを選択する。この他に、紙なし処理としては、インデックスの順に紙有りの給送トレイを選択してもよいし、予めＦＡＸに適した用紙サイズを優先して紙有りの給送トレイを選択してもよいし、さらに予め設定した普通紙と再生紙に似た品質の質種を優先する順番（例えば低品質の質種を優先する順番）で紙有りの給送トレイを選択してもよい。さらに、普通紙と再生紙が共に無い場合に紙なし処理としていきなり、又は上記紙なし処理を行うための普通紙と再生紙以外の他の質種もない場合に、普通紙又は再生紙をセットするようにユーザーに促してもよいし、紙なしエラーとして印刷を中止してもよい。
【００７２】
こうしてＦＡＸモードのときには、普通紙又は再生紙がセットされた給送トレイが対等の優先度で他の質種の用紙がセットされている給送トレイに優先して選択され、普通紙又は再生紙にＦＡＸ印刷が施される。従って、読むのに支障のない比較的コストの安い用紙ＰにＦＡＸ原稿を印刷できる。
【００７３】
次に図１２に示すメンテナンス用トレイ選択処理ルーチンの詳細を説明する。
ステップＳ２１では、１つ目のトレイを選択する。図６に示す設定データＳＤ中のインデックスの順番にトレイの選択処理を行うため、インデックス「１」の第１トレイ１６を選択する。
【００７４】
次のステップＳ２２では、選択したトレイにセットされているのが普通紙であるか否かを判断する。詳しくは、設定データＳＤにおけるインデックス「１」の第１トレイ１６に対応する質種を調べ、その質種が普通紙であるか否かを判断する。その質種が普通紙である場合は、ステップＳ２３に進んで、選択したトレイは残量があるか否かを判断する。詳しくは、紙センサー５４〜５７のうちその給送トレイ上の用紙の有無を検知可能な紙センサーからの検知信号を基に用紙の有無を判定し、用紙が有れば残量があると判断する。残量があればそのトレイを選択して当該ルーチンを終了する。
【００７５】
一方、ステップＳ２２で普通紙でないと判断した場合、又はステップＳ２３において選択したトレイは残量が無いと判断した場合は、ステップＳ２４に進んで、全て選択したか否かを判断する。すなわち、設定データＳＤのうち全てのインデックスを選択し終えたか否かを判断する。全て選択していない場合（Ｓ２４で否定判定の場合）は、ステップＳ２５に進んで次のトレイを選択する。例えば現在のインデックスＩｎ（例えば「１」）に「１」を加えた値のインデックスＩｎ＝Ｉｎ＋１（例えば「２」）に更新する。そしてステップＳ２２に戻る。
【００７６】
以下、同様に、今回のインデックスについてステップＳ２２〜Ｓ２４の処理を行い、選択したトレイにセットされているのが普通紙であり（Ｓ２２で肯定判定）、かつその選択したトレイは残量がある（Ｓ２３で肯定判定）と判定するまで、あるいはステップＳ２４で全て選択したと判定するまで、ステップＳ２２〜Ｓ２５の処理を繰り返す。例えば図６に示す設定データＳＤが設定されている例では、インデックス「１」の第１トレイ１６に対応する質種が「色付き紙」であるため、第１トレイ１６は選択されない。また、その後、インデックス「３」の第３トレイ１８に対応する質種が「普通紙」であると判断されるため、第３トレイ１８が選択される。一方、ステップＳ２４で全て選択したと判定された場合、次にステップＳ２６に進む。つまり、設定データＳＤに設定された全てのトレイに対応する質種に、「普通紙」が１つも無い場合は、次に優先度の高い「再生紙」がセットされた給送トレイを探すためにステップＳ２６に進む。
【００７７】
次のステップＳ２６では、１つ目のトレイを選択する。すなわち、図６に示す設定データＳＤ中におけるインデックス「１」の第１トレイを選択する。
次のステップＳ２７では、選択したトレイが再生紙であるか否かを判断する。詳しくは、設定データＳＤにおけるインデックス「１」の第１トレイに対応する質種を調べ、その質種が再生紙であるか否かを判断する。その質種が再生紙である場合は、ステップＳ２８に進んで、選択したトレイは残量があるか否かを判断する。詳しくは、紙センサー５４〜５７のうちその給送トレイ上の用紙の有無を検知可能な紙センサーからの検知信号を基に用紙の有無を判定し、用紙が有れば残量があると判断する。残量があればそのトレイを選択したまま当該ルーチンを終了する。
【００７８】
一方、ステップＳ２７で再生紙でないと判断した場合、又はステップＳ２８において選択したトレイは残量が無いと判断した場合は、ステップＳ２９に進んで、全て選択したか否かを判断する。すなわち、設定データＳＤのうち全てのインデックスを選択し終えたか否かを判断する。全て選択していない場合（Ｓ２９で否定判定の場合）は、ステップＳ３０に進んで次のトレイを選択する。例えば現在のインデックス（例えば「１」）に「１」を加えた値のインデックス（例えば「２」）を選択する。そしてステップＳ２７に戻る。
【００７９】
以下、同様に、今回のインデックスについてステップＳ２７〜Ｓ３０の処理を行い、選択したトレイが再生紙であり（Ｓ２７で肯定判定）、かつその選択したトレイは残量がある（Ｓ２８で肯定判定）と判定するまで、あるいはステップＳ２９で全て選択したと判定するまで、ステップＳ２７〜Ｓ３０の処理を繰り返す。例えば設定データＳＤに普通紙が１つも無く、インデックス「２」の第２トレイに対応する質種に再生紙が設定された例では、インデックス「２」の第２トレイに対応する質種が「再生紙」であるため、第２トレイが選択される。仮に設定データＳＤ中のトレイに対応する質種に、普通紙と再生紙の両方が無かった場合（Ｓ２９で肯定判定の場合）は、ステップＳ３１に進む。
【００８０】
ステップＳ３１では、ステップＳ１６と同様に紙なし処理（媒体なし処理の一例）を行う。本実施例では、具体的には紙有りのトレイを選択する。この場合、予めメンテナンスに適した用紙サイズを優先して紙有りのトレイを選択してもよいし、予め設定した普通紙と再生紙に似た品質の質種を優先する順番（例えば低品質の質種を優先する順番）で紙有りのトレイを選択してもよい。さらに、普通紙と再生紙が共に無い場合に紙なし処理としていきなり、又は上記紙なし処理を行うための普通紙と再生紙以外の他の質種もない場合に、普通紙をセットするようにユーザーに促してもよいし、紙なしエラーとして印刷を中止してもよい。
【００８１】
こうしてメンテナンスモードのときには、普通紙がセットされている給送トレイが、再生紙がセットされている給送トレイに優先して選択される。このため、チェック用パターンは、比較的コストが安く、再生紙よりも白さで勝る普通紙Ｐ１に優先的に印刷される。したがって、ユーザーはチェック用パターンにおける印刷ずれ又はドット抜けを目視で適切に確認でき、適切な調整値の設定あるいは適切なクリーニングの実施が可能となる。
【００８２】
そして、どの給送トレイにも普通紙が無い場合、普通紙の次に優先度の高い再生紙がセットされている給送トレイが優先的に選ばれ、その選択された給送トレイから給送された再生紙にチェック用パターンの印刷が行われる。
【００８３】
次に図１３に示す通常印刷用トレイ選択処理ルーチンの詳細を説明する。通常印刷モードの場合、用紙サイズ及び質種を含む印刷条件が指定されて印刷が指示される。
ステップＳ４１では、１つ目のトレイを選択する。図６に示す設定データＳＤにおけるインデックス「１」の第１トレイを選択する。
【００８４】
次のステップＳ４２では、選択したトレイにセットされているのが指定された用紙であるか否かを判断する。詳しくは、設定データＳＤにおけるインデックス「１」の第１トレイに対応する質種及び用紙サイズを調べ、その質種及び用紙サイズが指定されたものに一致するか否かを判断する。指定された用紙であれば（Ｓ４２で肯定判定）、ステップＳ４３に進んで、選択したトレイは残量があるか否かを判断する。この残量に関する判断は、選択したトレイに対応する紙センサーからの信号に基づいて行う。残量があればそのトレイを選択して当該ルーチンを終了する。一方、残量がない場合は、ステップＳ４４に進む。
【００８５】
ステップＳ４４では、全て選択したか否かを判断する。設定データＳＤのうち全てのインデックスを選択し終えていない場合（Ｓ４４で否定判定）は、ステップＳ４５に進んで次のトレイを選択する（Ｉｎ＝Ｉｎ＋１）。そしてステップＳ４２に戻る。
【００８６】
以下、同様に、更新後の今回のインデックスについてステップＳ４２〜Ｓ４４の処理を行う。選択したトレイが印刷条件で指定された用紙サイズ及び質種であり（Ｓ４２で肯定判定）、かつその選択したトレイは残量がある（Ｓ４３で肯定判定）と判定するまで、あるいはステップＳ４４で全て選択したと判定するまで、ステップＳ４２〜Ｓ４５の処理を繰り返す。
【００８７】
一方、設定データＳＤに設定された全てのトレイに対応する用紙サイズ及び質種が、指定された用紙サイズ及び質種に一致しない場合は、ステップＳ４４で全て選択したと判断し、ステップＳ４６に進む。そして、ステップＳ４６においてトレイ選択エラーとし、表示部１４にその旨を表示する。
【００８８】
以上詳述した第１実施形態によれば、以下の効果を得ることができる。
（１）ファクシミリ制御部６６がファックス印刷を行う際（ＦＡＸモード時）は、トレイ選択部６３により、複数の給送トレイ１６〜１９のうち普通紙がセットされている給送トレイと再生紙がセットされている給送トレイとのうち一方が対等の優先度で選択され、ファックスは普通紙又は再生紙に印刷される。また、メンテナンス制御部６７が印刷を行う際（メンテナンスモード時）は、複数の給送トレイ１６〜１９のうち普通紙がセットされている給送トレイが選択され、メンテナンス用印刷は再生紙よりも白い普通紙に行われる。また、普通紙がセットされていないときには、再生紙がセットされている給送トレイが選択され、再生紙にメンテナンス用印刷が行われる。よって、ファックスを比較的安価でかつ読むのに支障のない普通紙又は再生紙に印刷できるうえ、再生紙よりも白い普通紙にチェック用パターンの印刷（メンテナンス用印刷）を優先的に行うことができるので、チェック用パターンの印刷結果を確認し易い。
【００８９】
（２）ＦＡＸモード時及びメンテナンスモード時共に、全ての給送トレイ１６〜１９に普通紙と再生紙とのいずれもがセットされていないときは紙なし処理が行われる。特に本例では、紙なし処理として、用紙の残量がある他の質種の用紙がセットされた他の給送トレイを選択する処理を行う。よって、普通紙と再生紙とのいずれもがセットされていないときでも、ＦＡＸ印刷又はメンテナンス用印刷を行うことができる。例えばユーザーが普通紙と再生紙とのいずれもセットする予備の用紙がない場合にＦＡＸ印刷又はメンテナンス用印刷ができない事態を回避できる。また、普通紙と再生紙とのいずれもがセットされていない場合に、ＦＡＸ印刷又はメンテナンス用印刷が行われることなく放置される事態を回避できる。
【００９０】
（３）トレイ選択部６３は、給送トレイ毎に、セットされている用紙の種類との対応関係が示された設定データＳＤを用いて、印刷モードに適した質種の用紙がセットされた給送トレイを選択するので、速やかに給送トレイを選択できる。
【００９１】
（４）トレイ選択部６３は、設定データＳＤを用いて給送トレイを選択すると、その選択した給送トレイに対応する紙センサーからの信号に基づきその選択した給送トレイに用紙の残量があるか否かを判定し、残量があればその給送トレイを選択するが、残量がなければその給送トレイを選択しない。よって、用紙が空の給送トレイが選択されることを回避できる。一方、普通紙又は再生紙がセットされた給送トレイが存在しない場合は、紙なし処理が行われる。よって、トレイ選択部６３は、紙センサーの検知結果を用いて適切な処理を行うことができる。
【００９２】
（５）紙なし処理は、普通紙と再生紙以外で用紙の残量がある他の質種の用紙がセットされた他の給送トレイを選択する処理なので、ＦＡＸ印刷及びメンテナンス用印刷を中止されることなく行うことができる。
【００９３】
（６）チェック用パターンの印刷（メンテナンス用印刷）として、ノズルチェック印刷、印刷位置調整印刷（ギャップ調整印刷）、及び用紙送り位置調整印刷のうち少なくとも一つを行うときに、再生紙よりも白い普通紙に印刷されるので、印刷結果を確認し易い。例えばノズルチェック印刷の場合、ノズルのクリーニングが必要であるかどうか適切に確認できる。また、印刷位置調整印刷の場合は、主走査方向Ｘにおける印刷位置のずれを確認してその調整を適切に行うことができる。さらに用紙送り位置調整印刷の場合は、用紙の搬送方向への送り位置のずれを確認してその調整を適切に行うことができる。
【００９４】
なお、上記実施形態は以下の形態に変更することもできる。
・媒体なし処理は、媒体の残量があるその他の媒体供給源を選択する処理と、エラー表示を行う処理と、媒体セットを促す処理とのうち少なくとも一つを含んでいればよい。例えばエラー表示処理では、適切な用紙（媒体）が無い旨のエラー報知画面を表示部１４に表示する。また、媒体セットを促す処理では、ＦＡＸモードの場合は普通紙又は再生紙のセットを促す画面を表示部１４に表示し、メンテナンスモードの場合は普通紙のセットを促す画面を表示部１４に表示し、さらに普通印刷モードの場合は指定した用紙のセットを促す画面を表示部１４に表示する。そして、ユーザーが用紙をセットした場合に、セットされた用紙に印刷を行う。また、エラー報知と媒体セットを促すメッセージとを含む一つの画面を表示してもよい。さらに、これらのエラー報知画面と媒体セットを促す画面のうち少なくとも一方でキャンセル操作又は許可操作がなされると、媒体の残量がある他の媒体供給源を選択する構成としてもよい。
【００９５】
・第１の媒体は普通紙に限らず、第２の媒体よりも白い質種であればよい。例えば上質紙、光沢紙、マット紙や写真紙でもよい。第２の媒体は、再生紙に限らず、第１の媒体よりも白さで劣る質種であればよい。例えば第１の媒体が上質紙の場合、第２の媒体は普通紙又は再生紙でもよい。
【００９６】
・前記実施形態において、インデックスの順番と逆の順番に質種を判定してもよい。また、判定するトレイの順番をランダムに変更してもよい。これらの構成でも、第１の媒体と第２の媒体の両方がセットされた二つの媒体供給源が対等の優先度で選択される。
【００９７】
・前記実施形態において設定データＳＤを参照する場合、まずそのときの印刷モードに応じた質種を設定データＳＤ中で検索し、該当する質種が検索できたらその質種に対応する給送トレイを選択する処理を行ってもよい。また、前記実施形態において、設定データＳＤは給送トレイ毎にセットされている媒体の少なくとも質種が記憶されていればよい。
【００９８】
・検知部の一例としての紙センサーを廃止してもよい。この場合、媒体なし処理は、給送された用紙を搬送経路上の所定位置で検知可能な紙センサーが、搬送モーター３８を所定回転数以上駆動したにも拘らず、用紙を検知しない場合に、エラー表示を行う処理と媒体のセットを促す処理とのうち少なくとも一方を行うものでもよい。
【００９９】
・ユーザーに媒体供給源にセットされている媒体の質種やサイズの少なくとも一方を入力させるのではなく、質種センサーやサイズセンサーを設けてこれにより検知してもよい。この場合、検知した質種やサイズを設定データＳＤに記憶させるようにしてもよいし、設定データＳＤを廃止して、設定データＳＤを参照する代わりに、質種センサーやサイズセンサーを用いて質種やサイズの検知を行ってもよい。
【０１００】
・カセット型の給送トレイ（給送カセット）は三つに限定されず、手差し型の給送トレイ（手差しトレイ）も一つに限定されない。例えば、一方のみが複数あってもよいし、手差しトレイと給送カセットとのそれぞれが１以上の任意の数だけ存在してもよい。また、一つの給送カセット内に質種の異なる用紙をそれぞれセット可能な複数段のトレイ（媒体供給源の一例）が収納され、各トレイのうち一つを選択して用紙を給送する構成でもよい。この給送カセットであれば印刷装置に一つだけでもよい。要するに、印刷装置が、質種の異なる媒体を選択して給送可能な媒体供給源を複数備えていればよい。また、印刷装置に備えられた全ての媒体供給源のうち一部の複数の媒体供給源を選択部による選択対象としてもよい。また、媒体供給源は、カセット型や手差し型に限定されず、ベルト搬送式媒体供給源や、ロール紙などの長尺媒体を給送する長尺媒体供給源でもよい。
【０１０１】
・第１の媒体と第２の媒体が共になく残量のある他の質種の媒体を選択する場合に、ユーザーにその許可を得るための問合せ画面を表示部１４に表示させてもよい。
・印刷モードに応じて普通紙と再生紙などの質種に加え、用紙サイズの条件を満たすか否かを判断して給送トレイを選択してもよい。例えばＦＡＸモードのときに普通紙であっても用紙サイズが指定サイズ（例えばＡ４判）未満である場合は選択せず、指定サイズ以上の再生紙がセットされた給送カセットを選択する。
【０１０２】
・印刷モードとしては、上述した３つ（ＦＡＸ印刷・メンテナンス印刷・通常印刷）以外の印刷モードがあってもよい。例えば、再生紙に対する印刷を最優先とする印刷モードがあってもよい。
【０１０３】
・媒体は、用紙に限定されず、樹脂製シート、紙と樹脂の複合体フィルム（樹脂含浸紙、樹脂コート紙など）、樹脂と金属の複合体フィルム（ラミネートフィルム）、織物、金属製フィルム、セラミックシートなどであってもよい。また、第１の媒体と第２の媒体は、用紙と樹脂製シート、用紙と金属シート、樹脂製シートと金属シートのように、異なる材質の組合せであってもよい。
【０１０４】
・印刷装置は、ＦＡＸ印刷機能とメンテナンス印刷機能を少なくても有すればよい。例えばスキャン機能とコピー機能のうち少なくとも一方を備えていなくてもよい。また、ＦＡＸ印刷機能とメンテナンス印刷機能とを備えただけのＦＡＸ専用プリンターでもよい。
【０１０５】
・印刷装置の印刷方式は、インクジェット方式に限らず、ドットインパクト方式、レーザー方式でもよい。さらに、印刷装置は、シリアルプリンターに限らず、ラインプリンター又はページプリンターでもよい。
【符号の説明】
【０１０６】
１１…印刷装置の一例であるプリンター、１２…装置本体、１４…表示部、１５…操作部、１６〜１８…媒体供給源の一例としてのカセット型の給送トレイ、１９…媒体供給源の一例としての手差し型の給送トレイ、２３…印刷ヘッド、３０…コントローラー、３２…プリントエンジン、３３…ファックシミリ部の一例を構成するＦＡＸ通信部、４３…記憶部の一例としての不揮発性メモリー、６１…設定部、６２…モード判定部、６３…選択部の一例としてのトレイ選択部、６４…制御部、６５…印刷制御部、６６…ファックシミリ部の一例を構成するファクシミリ制御部、６７…メンテナンス部の一例を構成するメンテナンス制御部、Ｙ…搬送方向、ＳＤ…設定データ、Ｐ…媒体の一例としての用紙、Ｐ１…普通紙。
【図１】
2018020575.tif 000003
【図２】
2018020575.tif 000004
【図３】
2018020575.tif 000005
【図４】
2018020575.tif 000006
【図５】
2018020575.tif 000007
【図６】
2018020575.tif 000008
【図７】
2018020575.tif 000009
【図８】
2018020575.tif 000010
【図９】
2018020575.tif 000011
【図１０】
2018020575.tif 000012
【図１１】
2018020575.tif 000013
【図１２】
2018020575.tif 000014
【図１３】
2018020575.tif 000015
【手続補正書】
【提出日】平成29年10月17日(2017.10.17)
【手続補正１】
【補正対象書類名】特許請求の範囲
【補正対象項目名】全文
【補正方法】変更
【補正の内容】
【特許請求の範囲】
【請求項１】
複数の媒体供給源のうち選択した媒体供給源から給送された媒体に対して印刷を行う印刷装置であって、
前記複数の媒体供給源のうちメンテナンス用印刷に用いる媒体供給源を選択する選択部と、
前記選択部が選択した媒体供給源から給送した媒体にメンテナンス用印刷を行うメンテナンス部と、を備え、
前記選択部は、普通紙がセットされている媒体供給源が有る場合、当該媒体供給源を選択し、当該媒体供給源が無い場合、再生紙がセットされている媒体供給源を選択することを特徴とする印刷装置。
【請求項２】
前記メンテナンス部は、普通紙及び再生紙がセットされている媒体供給源が無い場合、メンテナンス用印刷を行わないことを特徴とする請求項１に記載の印刷装置。
【請求項３】
前記選択部は、普通紙及び再生紙がセットされている媒体供給源が無い場合、用紙サイズが予め定められた用紙サイズ以上である用紙がセットされている媒体供給源を選択することを特徴とする請求項１に記載の印刷装置。
【請求項４】
前記選択部は、普通紙及び再生紙がセットされている媒体供給源が無い場合、用紙がセットされている媒体供給源を選択することを特徴とする請求項１に記載の印刷装置。
【請求項５】
前記選択部は、普通紙及び再生紙がセットされている媒体供給源が無い場合、色付き紙以外の用紙がセットされている媒体供給源を選択することを特徴とする請求項４に記載の印刷装置。
【請求項６】
前記選択部は、普通紙及び再生紙がセットされている媒体供給源が無い場合、高品位紙以外の用紙がセットされている媒体供給源を選択することを特徴とする請求項４に記載の印刷装置。
【請求項７】
前記高品位紙は、光沢紙、マット紙、写真紙、上質紙を含むことを特徴とする請求項６に記載の印刷装置。
【手続補正２】
【補正対象書類名】明細書
【補正対象項目名】０００９
【補正方法】変更
【補正の内容】
【０００９】
以下、上記課題を解決するための手段及びその作用効果について記載する。
上記課題を解決する印刷装置は、複数の媒体供給源のうち選択した媒体供給源から給送された媒体に対して印刷を行う印刷装置であって、前記複数の媒体供給源のうちメンテナンス用印刷に用いる媒体供給源を選択する選択部と、前記選択部が選択した媒体供給源から給送した媒体にメンテナンス用印刷を行うメンテナンス部と、を備え、前記選択部は、普通紙がセットされている媒体供給源が有る場合、当該媒体供給源を選択し、当該媒体供給源が無い場合、再生紙がセットされている媒体供給源を選択する。
上記の印刷装置では、前記メンテナンス部は、普通紙及び再生紙がセットされている媒体供給源が無い場合、メンテナンス用印刷を行わないことが好ましい。
上記の印刷装置では、前記選択部は、普通紙及び再生紙がセットされている媒体供給源が無い場合、用紙サイズが予め定められた用紙サイズ以上である用紙がセットされている媒体供給源を選択することが好ましい。
上記の印刷装置では、前記選択部は、普通紙及び再生紙がセットされている媒体供給源が無い場合、用紙がセットされている媒体供給源を選択することが好ましい。
上記の印刷装置では、前記選択部は、普通紙及び再生紙がセットされている媒体供給源が無い場合、色付き紙以外の用紙がセットされている媒体供給源を選択することが好ましい。
上記の印刷装置では、前記選択部は、普通紙及び再生紙がセットされている媒体供給源が無い場合、高品位紙以外の用紙がセットされている媒体供給源を選択することが好ましい。
上記の印刷装置では、前記高品位紙は、光沢紙、マット紙、写真紙、上質紙を含むことが好ましい。
上記課題を解決する印刷装置は、複数の媒体供給源のうち選択した媒体供給源から給送された媒体に対して印刷を行う印刷装置であって、前記複数の媒体供給源のうち印刷対象の媒体がセットされている媒体供給源を選択する選択部と、メンテナンス用印刷を媒体供給源から給送した媒体に行うメンテナンス部と、を備え、前記メンテナンス部が印刷を行う場合には、前記選択部は、２つの白色度合いが異なる媒体のうち白色度合いが高い媒体がセットされている媒体供給源を選択し、当該媒体がセットされていない場合は前記２つの白色度合いが異なる媒体のうち白色度合いが低い媒体がセットされている媒体供給源を選択し、前記２つの白色度合いが異なる媒体がいずれもセットされていない場合、所定処理を行う。
また、上記の印刷装置では、前記所定処理は、媒体がセットされている他の媒体供給源を選択する処理、エラー表示を行う処理、及び媒体のセットを促す処理のうちのいずれかの処理であることが好ましい。
また、上記の印刷装置では、前記白色度合いが高い媒体は、普通紙であり、前記白色度合いが低い媒体は再生紙であることが好ましい。
上記の印刷装置は、受信したファックス信号に基づく印刷を媒体供給源から給送した媒体に行うファクシミリ部を備え、前記ファクシミリ部が印刷を行う場合には、前記選択部は、普通紙又は再生紙がセットされた媒体供給源を選択し、普通紙及び再生紙がセットされていない場合は他の媒体がセットされた媒体供給源を選択することが好ましい。
上記課題を解決する印刷装置は、複数の媒体供給源のうち選択した媒体供給源から給送された媒体に対して印刷を行う印刷装置であって、前記複数の媒体供給源のうち印刷対象の媒体がセットされている媒体供給源を選択する選択部と、受信したファックス信号に基づく印刷を媒体供給源から給送した媒体に行うファクシミリ部と、メンテナンス用印刷を媒体供給源から給送した媒体に行うメンテナンス部と、を備え、前記選択部は、前記ファクシミリ部が印刷を行う場合には、前記ファックス信号に基づく印刷に対応するルールに基づいて媒体供給源を選択し、前記メンテナンス部が印刷を行う場合には、前記ルールと異なるルールであって前記メンテナンス用印刷に対応するルールに基づいて媒体供給源を選択する。
上記の印刷装置において、前記メンテナンス用印刷に対応するルールでは、白色紙がセットされている媒体供給源が、色付き紙がセットされている媒体供給源より優先して選択される。
上記の印刷装置において、前記メンテナンス用印刷に対応するルールでは、前記白色紙がセットされている媒体供給源のうち普通紙がセットされている媒体供給源が、再生紙がセットされている媒体供給源より優先して選択されることが好ましい。
また、上記の印刷装置において、前記ファックス信号に基づく印刷に対応するルールでは、普通紙がセットされている媒体供給源及び再生紙がセットされている媒体供給源が、他の媒体がセットされている媒体供給源より優先して選択されることが好ましい。
上記課題を解決する印刷装置は、複数の媒体供給源のうち選択した媒体供給源から給送された媒体に対して印刷を行う印刷装置であって、前記複数の媒体供給源のうち印刷対象の媒体がセットされている媒体供給源を選択する選択部と、受信したファックス信号に基づく印刷を媒体供給源から給送した媒体に行うファクシミリ部と、メンテナンス用印刷を媒体供給源から給送した媒体に行うメンテナンス部と、を備え、前記選択部は、前記ファクシミリ部が印刷を行う場合には、前記複数の媒体供給源のうち第１の媒体がセットされている媒体供給源と前記第１の媒体と質種の異なる第２の媒体がセットされている媒体供給源とのうち一方を対等の優先度で選択し、前記メンテナンス部が印刷を行う場合には、前記複数の媒体供給源のうち前記第２の媒体よりも白さで勝る前記第１の媒体がセットされている媒体供給源を選択し、前記第１の媒体がセットされていない場合は前記第２の媒体がセットされている媒体供給源を選択する。